(57)【要約】【課題】  遊技媒体の貸し出し機等に好適に利用することができる紙幣識別機およびこれを用いた遊技媒体の貸し出し機を提供する。【解決手段】  本体の前端に紙幣導入口１０２が設けられ、紙幣導入口から本体内に送入された紙幣を移送する移送機構１０３ａ、１０３ｂ、１０９と、紙幣が移送される移送経路上に配置された紙幣識別部１２０ｂとを備える紙幣識別機において、前記紙幣導入口１０１から紙幣の移送面方向に延設され、本体の内面との間で紙幣を通過させる中仕切り３３を設け、前記紙幣識別部１２０ｂによって紙幣を識別するための引き込み位置に、前記移送機構により紙幣を引き込んだ際に、紙幣と前記中仕切り３３とが紙幣の移送面内で重複して位置するよう、前記中仕切り３３の延出位置が設定されている。【選択図】          図３
2006230541.tif 000002
【特許請求の範囲】
【請求項１】
本体の前端に紙幣導入口が設けられ、紙幣導入口から本体内に送入された紙幣を移送する移送機構と、紙幣が移送される移送経路上に配置された紙幣識別部とを備える紙幣識別機において、
前記紙幣導入口から紙幣の移送面方向に延設され、本体の内面との間で紙幣を通過させる中仕切りを設け、
前記紙幣識別部によって紙幣を識別するための引き込み位置に、前記移送機構により紙幣を引き込んだ際に、紙幣と前記中仕切りとが紙幣の移送面内で重複して位置するよう、前記中仕切りの延出位置が設定されていることを特徴とする紙幣識別機。
【請求項２】
前記中仕切りが、前記紙幣識別部に設けられている識別用センサを紙幣の移送面内で露出させる形状に形成されていることを特徴とする請求項１記載の紙幣識別機。
【請求項３】
前記本体に設けられる紙幣導入口とは別体に、紙幣を投入する紙幣投入口が設けられ、  該紙幣投入口に前記中仕切りが支持されるとともに、
該紙幣投入口と前記紙幣導入口との間で紙幣をガイド移送するガイドが設けられていることを特徴とする請求項１または２記載の紙幣識別機。
【請求項４】
前記紙幣投入口に、前記中仕切りを支持する仕切りガイドが設けられ、
該仕切りガイドを挟んで対称となる配置に、紙幣が投入される開口側が徐々に開く形状の導入ガイドが設けられていることを特徴とする請求項３記載の紙幣識別機。
【請求項５】
前記紙幣導入口の前記中仕切りを挟んだ一方側と他方側に、前記中仕切りの一方の面側と他方の面側のどちらから紙幣が投入されたかを検知するセンサが設けられていることを特徴とする請求項１〜４のいずれか一項記載の紙幣識別機。
【請求項６】
前記紙幣導入口に、紙幣の有無を検知するセンサが紙幣の幅方向に離間して少なくとも２個配置され、
前記中仕切りは、紙幣の移送面内で、前記センサの少なくとも一つを覆い、残りのセンサの少なくとも一つを露出させる配置に設けられ、
前記センサによる出力を検知して、前記中仕切りの一方の面側と他方の面側のどちらから紙幣が送入されたかを検知する検知部を備えていることを特徴とする請求項１〜４のいずれか一項記載の紙幣識別機。
【請求項７】
前記紙幣の有無を検知するセンサが、紙幣識別機の紙幣導入口に紙幣の幅方向に離間して配置されている紙幣の投入検知用のセンサであることを特徴とする請求項６記載の紙幣識別機。
【請求項８】
請求項１〜７のいずれか一項記載の紙幣識別機と、
遊技機に遊技媒体を払い出す払い出し機構と、
前記紙幣識別機に投入された紙幣の識別結果に基づいて前記払い出し機構から遊技機に遊技媒体を払い出す制御部とを備えていることを特徴とする遊技媒体の貸し出し機。
【請求項９】
前記払い出し機構が、貸し出し機の両側に設置される遊技機に遊技媒体を振り分けして払い出す振り分け機構部を備え、
前記紙幣識別機が、中仕切りの一方の面側と他方の面側のどちらから紙幣が投入されたかを検知するセンサを備え、
前記制御部が、前記紙幣識別機による識別結果に基づいて払い出し側の遊技機を選択して、前記振り分け機構部により遊技媒体を払い出すことを特徴とする請求項８記載の遊技媒体の貸し出し機。
【発明の詳細な説明】
【技術分野】
【０００１】
本発明は紙幣識別装置および遊技媒体の貸し出し機に関する。
【背景技術】
【０００２】
パチンコ、スロットマシン等の各種遊技機では、遊技機に専用の遊技媒体（パチンコ玉、メダル等）が用いられる。これらの遊技機を使用する際に用いる遊技媒体の貸し出し機には、遊技機１台ごとに貸し出し機を設置する方式と、２台の遊技機ごとに１台の貸し出し機を設置する方式がある。
２台の遊技機に１台の貸し出し機を設置する方式による貸し出し機では、効率的に遊技媒体を貸し出す（払い出す）ために、貸し出し機に紙幣を投入した際に、左右の遊技機のどちらの使用者が紙幣を投入したかを検知し、その検知結果に基づいて紙幣を投入した使用者の遊技機に遊技媒体を払い出すようにする必要がある。
【０００３】
紙幣を投入した使用者を検知して遊技媒体を払い出す従来機としては、貸し出し機の紙幣投入口に分別用のプレートを設けて使用者を区別する方法、あるいは貸し出し機に２つの押しボタンを設けて、使用者が別々にボタンを押すことによって使用者を区別し、その検知結果に基づいて払い出しノズルから使用者が使用する遊技機に遊技媒体を払い出す装置（特許文献１）や、紙幣を貸し出し機に投入して排出される遊技媒体を受け皿部で受け、使用者がレバーを動かすことによって、受け皿部から自分が使用する遊技機に案内ダクトを介して遊技媒体を導入するといった装置（特許文献２）がある。
【特許文献１】特開平１１−３０９２３９号公報
【特許文献２】特開平１１−３１９２９７号公報
【発明の開示】
【発明が解決しようとする課題】
【０００４】
上述した貸し出し機はいずれも、貸し出し機を使用する使用者別に遊技媒体を振り分けて払い出すことができるように形成されたものであるが、紙幣を投入した使用者の遊技機に遊技媒体を払い出すためには、使用者が分別プレートを動かしたり、押しボタンを押したり、レバーを動かしたりしなければならず、貸し出し機を使用する際の利便性が劣るとともに、使用者を検知して遊技媒体を遊技機に自動的に払い出す方法を自動化する方法としては非効率であるという問題がある。
【０００５】
本発明は、これらの課題を解決すべくなされたものであり、とくに使用者の識別を簡易な構成によって簡単に行うことができ、紙幣識別も容易に行うことができて、遊技媒体の貸し出し機等に好適に利用することができる紙幣識別機およびこれを用いた遊技媒体の貸し出し機を提供することを目的とする。
【課題を解決するための手段】
【０００６】
本発明は、上記目的を達成するため次の構成を備える。
すなわち、本体の前端に紙幣導入口が設けられ、紙幣導入口から本体内に送入された紙幣を移送する移送機構と、紙幣が移送される移送経路上に配置された紙幣識別部とを備える紙幣識別機において、前記紙幣導入口から紙幣の移送面方向に延設され、本体の内面との間で紙幣を通過させる中仕切りを設け、前記紙幣識別部によって紙幣を識別するための引き込み位置に、前記移送機構により紙幣を引き込んだ際に、紙幣と前記中仕切りとが紙幣の移送面内で重複して位置するよう、前記中仕切りの延出位置が設定されていることを特徴とする。
前記中仕切りは紙幣を引き込み位置に引き込んだ際に紙幣と移送面内（平面配置で）で重複配置されるように設ける。中仕切りは紙幣と重複配置されればよく、中仕切りの形状、寸法等はとくに限定されない。たとえば、中仕切りは矩形状、網体状、複数の細片を延出させた形状等に形成できる。
【０００７】
また、前記中仕切りが、前記紙幣識別部に設けられている識別用センサを紙幣の移送面内で露出させる形状に形成されていることを特徴とする。中仕切りが識別用センサを遮蔽しない形態とすることにより、紙幣の識別を確実に行うことができる。
【０００８】
また、前記本体に設けられる紙幣導入口とは別体に、紙幣を投入する紙幣投入口が設けられ、該紙幣投入口に前記中仕切りが支持されるとともに、該紙幣投入口と前記紙幣導入口との間で紙幣をガイド移送するガイドが設けられていることを特徴とする。紙幣導入口とは別体に紙幣投入口を設けることにより、従来の紙幣識別機の構成を変更することなく貸し出し機等の装置に組み込むことが可能となる。
また、前記紙幣投入口に、前記中仕切りを支持する仕切りガイドが設けられ、該仕切りガイドを挟んで対称となる配置に、紙幣が投入される開口側が徐々に開く形状の導入ガイドが設けられていることを特徴とする。
【０００９】
また、前記紙幣導入口の前記中仕切りを挟んだ一方側と他方側に、前記中仕切りの一方の面側と他方の面側のどちらから紙幣が投入されたかを検知するセンサが設けられていることを特徴とする。このようにセンサを配置することによって、中仕切りの一方の面側と他方の面側のどちらから紙幣が投入されたかが検知でき、投入者を区別して識別することが可能になる。
【００１０】
また、前記紙幣導入口に、紙幣の有無を検知するセンサが紙幣の幅方向に離間して少なくとも２個配置され、前記中仕切りは、紙幣の移送面内で、前記センサの少なくとも一つを覆い、残りのセンサの少なくとも一つを露出させる配置に設けられ、前記センサによる出力を検知して、前記中仕切りの一方の面側と他方の面側のどちらから紙幣が送入されたかを検知する検知部を備えていることを特徴とする。
また、前記紙幣の有無を検知するセンサが、紙幣識別機の紙幣導入口に紙幣の幅方向に離間して配置されている紙幣の投入検知用のセンサであることを特徴とする。紙幣識別機は、通常、紙幣の投入検知用として紙幣導入口に２つのセンサを備えている。これらのセンサを利用することで中仕切りの一方の面側と他方の面側のどちらから紙幣が送入されたかを容易に検知することができる。２つのセンサを紙幣が移送される同一の面側に配置することで、識別機の装置内における配線が容易になり、配線部材が簡略化できる。
【００１１】
また、遊技媒体の貸し出し機において、前記紙幣識別機と、遊技機に遊技媒体を払い出す払い出し機構と、前記紙幣識別機に投入された紙幣の識別結果に基づいて前記払い出し機構から遊技機に遊技媒体を払い出す制御部とを備えていることを特徴とする。
また、前記払い出し機構が、貸し出し機の両側に設置される遊技機に遊技媒体を振り分けして払い出す振り分け機構部を備え、前記紙幣識別機が、中仕切りの一方の面側と他方の面側のどちらから紙幣が投入されたかを検知するセンサを備え、前記制御部が、前記紙幣識別機による識別結果に基づいて払い出し側の遊技機を選択して、前記振り分け機構部により遊技媒体を払い出すことを特徴とする。
【発明の効果】
【００１２】
本発明に係る紙幣識別機によれば、移送機構によって引き込み位置まで紙幣を引き込んだ際に、紙幣と中仕切りとが重複して配置されるように中仕切りが設けられているから、紙幣識別部によって紙幣を識別して、紙幣が偽物あるいは受け入れられないものであった場合には、移送機構により紙幣を戻し方向に移送することによって、紙幣を投入した側に戻すことができる。これによって、紙幣を投入した人に確実に紙幣を戻すといった操作が可能になり、紙幣を投入した人を検知して遊技媒体の払い出しを自動化するといった応用利用が好適に可能となる。
【発明を実施するための最良の形態】
【００１３】
以下、本発明に係る紙幣識別機およびこの紙幣識別装置を使用した遊技媒体の貸し出し機の実施の形態について添付図面にしたがって詳細に説明する。
（貸し出し機の設置例）
図１は、本発明に係る紙幣識別機の利用例として、スロットマシン１０に隣接して、紙幣識別機を内蔵したメダルの貸し出し機２０を設置した例を示す。
貸し出し機２０は２台のスロットマシン１０の間に１台ずつ設置され、貸し出し機２０の紙幣投入口３０に紙幣を投入することにより、貸し出し機２０の左右に配置されているスロットマシン１０の受け皿１２に、ノズル２２ａ、２２ｂを経由して、貸し出し機２０からメダルが振り分けて払い出されるように形成されている。
【００１４】
図２(a)および(b)は、メダルの貸し出し機２０の側面図および正面図を示す。貸し出し機２０には、本体２０ａの正面上部に紙幣投入口３０が設置されている。紙幣投入口３０は縦方向（鉛直方向）を長手方向とするスリット状に開口する２つの投入口３０ａ、３０ｂが隣接して設けられたものである。これらの投入口３０ａ、３０ｂは紙幣を１枚ずつ立てた状態で挿入することができるように紙幣の幅寸法に合わせて形成されている。
【００１５】
貸し出し機２０の本体２０ａの前面の下部側には左右に振り分けた形態にノズル２２ａ、２２ｂが設けられている。ノズル２２ａ、２２ｂはメダルが１枚ずつ通過できる扁平な断面形状を有する管体状に形成されている。左右に延出するノズル２２ａ、２２ｂは、中間位置で正面方向から側方に向けて滑らかに捻られ、受け皿１２に水平向きにメダルが払い出されるように形成されている。
なお、貸し出し機２０の本体２０ａ内には紙幣識別機の他に遊技媒体としてのメダルを左右のノズル２２ａ、２２ｂに向けて振り分けて払い出す機構が内蔵されている。このメダルの振り分け供給機構については後述する。
【００１６】
（紙幣識別機の構成）
はじめに、貸し出し機２０に内蔵されている紙幣識別機の構成について図３、４を参照して説明する。図３は紙幣識別機における紙幣の移送面を側面方向から見た状態、図４は紙幣識別機の内部構造を平面方向から見た断面図である。
紙幣識別機の紙幣投入口３０は、図４に示すように、貸し出し機２０の本体正面から若干突出して設けられた仕切りガイド３１とその両側に設けられた導入ガイド３２ａ、３２ｂによって形成される。導入ガイド３２ａ、３２ｂは、紙幣が投入される開口部側が徐々に開く平面形状に形成され、仕切りガイド３１を挟んで対称配置に設けられている。仕切りガイド３１は側面方向から見た状態で導入ガイド３２ａ、３２ｂの端縁よりも端縁が突出するように設けられる（図３）。
【００１７】
仕切りガイド３１の後部側（紙幣の挿入先側）には中仕切り３３が紙幣識別機の本体に向けて延出するように設けられる。紙幣識別機１００の本体１００ａの前端縁にはスリット状に開口する紙幣導入口１０１が設けられている。中仕切り３３は、中仕切り３３の両側面と紙幣導入口１０１の内側面との間で紙幣を通過させる間隔をあけ、先端縁が紙幣導入口１０１に入り込むようにして配置される。なお、中仕切り３３を可撓性を有するフィルム製とし、常時は紙幣導入口１０１の左右中央に位置し、中仕切り３３の右側あるいは左側から紙幣が送入された際に、中仕切り３３が左側あるいは右側に偏位して紙幣を通過させる間隙が確保されるようにすることもできる。
３４ａ、３４ｂは、中仕切り３３との間に紙幣を通過させる間隔をあけて、導入ガイド３２ａ、３２ｂと紙幣導入口１０１との間を連絡して設けたガイドである。ガイド３４ａ、３４ｂは導入ガイド３２ａ、３２ｂと紙幣導入口１０１とを滑らかに接続するように設けられる。
【００１８】
紙幣識別機１００の紙幣導入口１０１の端縁に沿って上下（紙幣の幅方向）に離間した一方側と他方側の位置には、紙幣の有無を検知するためのセンサ１０２ａ、１０２ｂが設けられている。センサ１０２ａ、１０２ｂは反射光を検知して紙幣の有無を検知する反射型のセンサである。
仕切りガイド３１から紙幣識別機１００の紙幣導入口１０１に向けて延設される中仕切り３３は、側面方向（紙幣の移送面）から見た状態で、上側のセンサ１０２ａを遮蔽し、下側のセンサ１０２ｂを露出させる形態に形成される。本実施形態では、中仕切り３３を、矩形板の下側のコーナー部を切欠いた形状としてセンサ１０２ａを紙幣の移送面内で遮蔽し、センサ１０２ｂを露出させている。
【００１９】
中仕切り３３は、紙幣の有無によって反射度が明確に異なるように黒色等の材料あるいは黒色等に着色したものを使用する。また、センサ１０２ｂによって紙幣の有無を検知しやすくするため、紙幣が移送される紙幣識別機の内面は黒色として、光の反射度を低くする。  
なお、紙幣検知用のセンサとしては反射型のセンサにかえて透過型のセンサを使用することもできる。
【００２０】
紙幣識別機１００の本体１００ａ内に設けられている紙幣の識別機構や紙幣の移送機構は、従来使用されている紙幣識別機の構成と変わらない（たとえば、特開2003-6705号公報）。すなわち、紙幣識別機１００は、紙幣導入口１０１から本体１００ａに送入された紙幣を本体１００ａの後方に移送するための移送機構と、紙幣が移送される移送経路上に配置された紙幣識別部と、紙幣の移送機構によって送り込まれた紙幣を収納する紙幣収納部とを備える。
【００２１】
紙幣の移送機構は、紙幣の移送方向に平行に一対配置された無端状の送りベルト１０３ａ、１０３ｂと、送りベルト１０３ａ、１０３ｂに係合して設けられた第１プーリ１０４、第２プーリ１０５および第３プーリ１０６と、第３プーリ１０６と一体回転すべく設けられた送り部材１０７とを備える。送り部材１０７は外周面に送り爪が設けられ、ゴム等の弾性材を用いて形成される。なお、第３プーリ１０６は軸１０８に対して自由回転可能である。
第１プーリ１０４と駆動モータ１０９とは、ウォームギヤ１１０および駆動軸１１１を介して連繋し、駆動モータ１０９の出力軸を正逆方向に回転駆動することにより、駆動軸１１１が正逆回転し、送りベルト１０３ａ、１０３ｂが紙幣を引き込む方向と戻し方向に移動する。
【００２２】
軸１０８上には、その両端にギヤ１１２が軸１０８と一体回転すべく設けられ、各々のギヤ１１２の内側面に、送り部材１０７の外径よりも僅かに径大で半円筒状の案内板１１３（図４参照）が設けられている。
一方のギヤ１１２には、駆動モータ１１４の出力軸に設けられたギヤが噛合し、駆動モータ１１４によりギヤ１１２を回転駆動することによって案内板１１３が回転駆動される。
【００２３】
紙幣収納部１１５は、送り部材１０７の後方と紙幣識別機１００の本体１００ａのケース１１６との間に形成される領域と、送りベルト１０３ａ、１０３ｂの側方に設けられた押し込み板１１７と押し上げ板１１８とによって挟まれた領域の連通領域として形成される。１１９は案内板１１３の外周位置に一端側を位置合わせして押し込み板１１７と平行に、案内板１１３の接線方向に延出するように設けられたレールである。
【００２４】
紙幣識別部は、紙幣の送り面に面して配置された識別用センサ１２０ａ、１２０ｂを備える。識別用センサ１２０ａと識別用センサ１２０ｂは紙幣の移送経路を挟む配置に設けられ、識別用センサ１２０ａ、１２０ｂは紙幣が移送される際に紙幣の一方の面と他方の面とを各々検知する。本実施形態では識別用センサ１２０ａ、１２０ｂとして光学的な反射センサを使用しているが、識別用センサとしては磁気センサ等の適宜センサを利用することができる。図３に示すように、識別用センサ１２０ａ、１２０ｂは紙幣の幅方向の３個所に配置され、紙幣が移送される際に紙幣の幅方向の異なる３個所で紙幣を識別するように設定されている。
【００２５】
（紙幣識別機の作用）
続いて、図３、４に示す紙幣識別機１００による紙幣の識別方法について説明する。
本実施形態の紙幣識別機１００による紙幣の識別操作、すなわち紙幣の種類を検知する作用は、基本的に従来の紙幣識別機と変わらない。
本実施形態の紙幣識別機１００において特徴的な点は、紙幣投入口３０に設けられた２つの投入口３０ａ、３０ｂのどちらから紙幣を投入したかを検知でき、紙幣が偽物であったり受け入れることができないものである場合には投入者側に紙幣を戻すことができるように制御される点である。
【００２６】
使用者が貸し出し機を使用する際には、使用者は紙幣投入口３０の投入口３０ａまたは投入口３０ｂのいずれかから紙幣を投入する。紙幣を投入口３０ａ、３０ｂのどちらかから投入すると、まずセンサ１０２ａ、１０２ｂによって投入口３０ａ、３０ｂのどちら側から紙幣が投入されたかが検知される。
これは、右側の投入口３０ａから紙幣が投入された場合、左側の投入口３０ｂから紙幣が投入された場合、紙幣が投入されていない場合におけるセンサ１０２ａ、１０２ｂの出力が、右側からの場合（高、高）、左側からの場合（低、高）、投入しない場合（低、低）となることから、検知部によってセンサ１０２ａ、１０２ｂの出力を検知することにより容易に判断できるからである。
なお、センサ１０２ａは紙幣が無いときには中仕切り３３の反射度を検知するから出力が低く、紙幣が投入された場合には紙幣による反射率が中仕切り３３よりも高くなって出力が大きくなる。また、センサ１０２ｂは紙幣が無い場合には反射度が低くなって出力が低くなり、紙幣が投入された際には反射率が上がって出力が大きくなる。
【００２７】
センサ１０２ａ、１０２ｂによって紙幣が投入されたことが検知され、紙幣の前端が送りベルト１０３ａ、１０３ｂに重複する位置まで進入すると、押さえローラ１０４ａ、１０５ａと送りベルト１０３ａ、１０３ｂによって紙幣が挟まれ、駆動モータ１０９が第１プーリ１０４を正方向に回転駆動し、送りベルト１０３ａ、１０３ｂとともに紙幣が引き込み位置に向けて移送される。従来の紙幣識別装置では紙幣を完全に引き込み位置まで引き込んで紙幣を識別するのに対して、本実施形態の紙幣識別装置では、紙幣の後端が中仕切り３３と重複する位置まで紙幣を引き込んだところで引き込み操作を停止する。すなわち、紙幣の後端が中仕切り３３から離間してしまう内方まで紙幣を引き込まないように駆動モータ１０９を制御する。
【００２８】
紙幣の識別は、紙幣の引き込み操作の際に識別用センサ１２０ａ、１２０ｂによって紙幣をスイープして得られたデータに基づいて行われる。通常の紙幣識別機では紙幣の後端までスイープしたデータに基づいて判断するのに対して、本実施形態では紙幣の後端が央仕切り板３３と重複した位置まで引き込んで停止させるから、紙幣の識別データは紙幣を後端まで完全にスイープして得られるデータにはならないが、実際上は紙幣の識別に支障になることはない。
【００２９】
紙幣を識別した結果、受け入れられる紙幣である場合は、駆動モータ１０９をさらに正方向に回転させ、送り部材１０７によって案内板１１３との間に紙幣を引き込み、さらにレール１１９側に紙幣を送り出す。レール１１９に送り出された紙幣は、カム１２２によって押し込み板１１７がレール１１９に向けて押し込まれることにより、レール１１９から押し上げ板１１８に向けて押し出される。
この押し込み板１１７の押し込み操作に連動して駆動モータ１１４が駆動され、ギヤ１１２が回転して案内板１１３が時計と反対方向に一回転する。これによって、送り部材１０７の外周に巻き付いた紙幣がケース１１６の後部側に排出され、案内板１１３が回転することによって紙幣の後端側がケース１１６に向けて押しつけられ、紙幣収納部１１５に紙幣が収納される。
【００３０】
一方、紙幣を識別した結果、偽物等で受け入れることができない紙幣である場合には、駆動モータ１０９を逆方向に回転し、送りベルト１０３ａ、１０３ｂと押さえローラ１０４ａ、１０５ａとで紙幣を戻り方向に移送させる。紙幣の識別は、紙幣の後端が中仕切り３３に重複する位置でなされるから、紙幣を戻り方向に移動させると中仕切り３３および仕切りガイド３１が戻り方向へ紙幣が移動する際のガイドとして作用し、紙幣が投入された投入口に移送される。
【００３１】
こうして、本実施形態の紙幣識別機によれば、紙幣投入口３０に設けられた２つの投入口３０ａ、３０ｂのどちらから紙幣が投入されたかが簡単に検知され、紙幣識別部によって紙幣が識別され、受け入れられる紙幣については紙幣収納部１１５に収納され、偽物等で受け入れられない紙幣については、使用者が紙幣を投入した投入口に戻される。
【００３２】
図１、２に示す貸し出し機２０では上述した構成からなる紙幣識別機１００が内蔵されていることにより、貸し出し機２０の右側のスロットマシン１０を使用する使用者は、紙幣投入口３０の右側の投入口３０ａから紙幣を投入し、貸し出し機２０の左側のスロットマシン１０を使用する使用者は紙幣投入口３０の左側の投入口３０ｂから紙幣を投入することにより、紙幣の投入者が右側の使用者か左側の使用者かを貸し出し機側で確実に識別され、紙幣の識別結果とともに紙幣を投入した使用者にメダルが払い出される。
使用できない紙幣が貸し出し機２０に投入された場合には、紙幣を投入した使用者側の投入口に紙幣が戻されるから紙幣を戻す操作についても何ら問題はない。
【００３３】
紙幣投入口３０は、仕切りガイド３１の端縁を導入ガイド３２ａ、３２ｂの端縁よりも突出させ、投入口３０ａ、３０ｂの開口側が広幅になるように形成して、使用者が投入口３０ａ、３０ｂから紙幣を投入する操作を容易にしている。
【００３４】
なお、上記紙幣識別機１００においては、中仕切り３３の端縁を直線的に断ち切る形態としたが、場合によっては、識別用センサ１２０ａ、１２０ｂと干渉しないように、中仕切り３３の端部から細幅の仕切り部を延出させ紙幣と中仕切り３３とが重複する範囲を広げて紙幣の戻り操作がより確実に行えるようにしてもよい。
また、中仕切り３３の端縁から識別用のセンサ１２０ａ、１２０ｂと干渉しないように仕切り部を延出させることにより、紙幣の後端がセンサ１２０ａ、１２０ｂを通過する位置まで紙幣を移送しても中仕切り３３と紙幣とが重複する状態となるようにすることが可能であり、この場合には識別用のデータとして紙幣の後端までスイープしたデータを利用することが可能になる。
また、識別用センサの特性によっては、紙幣の移送面内で識別用センサ１２０ａ、１２０ｂを遮蔽するように中仕切り３３を設けることも可能である。
【００３５】
また、上記実施形態では、紙幣識別機１００とは別体に、貸し出し機２０の本体２０ａに紙幣投入口３０を設け、仕切りガイド３１等を介して紙幣投入口３０と紙幣導入口１０１との間で紙幣をガイドしながら移送するように形成したが、紙幣識別機１００の紙幣導入口１０１の構造を紙幣投入口３０の構造と同形態として、貸し出し機２０の本体２０ａに紙幣識別機をそのまま装着する構造とすることも可能である。
すなわち、本発明に係る紙幣識別機は、紙幣識別機能を備えた本体に使用者を識別できる紙幣投入口を備えたものとして構成することもできるし、紙幣識別機能を備えた本体とは別体に使用者を識別するための紙幣投入口を設けて、本体と紙幣投入口とを紙幣をガイドして移送する構造とすることもできる。
また、メダル等の遊技媒体の貸し出し機２０としては貸し出し機２０の本体２０ａに紙幣投入口３０の他に、紙幣識別部、紙幣の送り機構等を作り込む構成とすることもできる。この場合、紙幣収納部１１５を貸し出し機２０ごとに設けずに、貸し出し機２０には紙幣の移送機構と紙幣識別部のみを設け、紙幣の収納部を貸し出し機２０とは別に設けることもできる。
【００３６】
なお、本実施形態のように貸し出し機２０の本体２０ａとは別体に紙幣識別機２０を設置する構成とした場合は、従来単独で使用されている紙幣識別機１００をそのまま利用することができるという利点がある。
上述したように紙幣識別機１００の紙幣導入口１０１に中仕切り３３を挿入する形態とし、センサ部１２０ｂを露出させる形状に中仕切り３３を設ける方法であれば、従来の紙幣識別機では紙幣導入口１０１に図３に示すと同様の紙幣の投入を検知する一対のセンサが配置されているから、センサを含めて従来の紙幣識別機がそのまま利用できる。
また、上記実施形態では、紙幣が中仕切り３３の一方の面側と他方の面側のどちらに投入されたかを２つのセンサ１０２ａ、１０２ｂを用いて検出したが、中仕切り３３の形状によっては３つ以上のセンサを用いて検出することも可能である。
【００３７】
また、上記実施形態の貸し出し機２０は、その両側に配置されたスロットマシン１０にメダルを払い出すから、紙幣投入口３０は右側の投入口３０ａと左側の投入口３０ｂとの２つの投入口を設ける構成としたが、投入口を３個以上とする場合であっても、中仕切りを２枚以上配置すること、紙幣の有無を検知するセンサの配置を工夫することによって紙幣の投入口を区別して識別することが可能である。
【００３８】
（遊技媒体の払い出し機構）
前述した貸し出し機２０は、紙幣投入口３０に紙幣を投入する操作によって貸し出し機２０の左右に設置されているスロットマシン１０のどちら側の使用者から紙幣が投入されたかを判断し、その結果に基づいて紙幣を投入した使用者にメダルを払い出す。
以下では、貸し出し機２０からスロットマシン１０にメダルを振り分けして払い出す払い出し機構について説明する。
【００３９】
図５は、メダルの貸し出し機２０の本体２０ａに内蔵されているメダルの払い出し機構を構成するメダルの収納部３５、メダルの送り出し機構部４０、メダルの振り分け機構部５０の側面図を示す。
メダルの収納部３５は払い出し用のメダルを一定量収納するためのものであり、上部を広く開口して形成され、底面は貸し出し機２０の前面に対向する側が高位となる傾斜面（水平面に対して約４５°の角度）に形成されている。収納部３５には随時メダルが補充され、収納部３５の底面に設けられているロータ４２の上面を覆うようにメダルが収納される。
【００４０】
前記ロータ４２は、収納部３５の底部を構成する支持プレート４３上で回転可能に、回転面を収納部３５の底面と平行となるようにして電動モータ４４の駆動軸に固設されている。
図６に、メダルの送り出し機構部４０と振り分け機構部５０を平面方向（移送面に垂直方向）から見た状態を示す。
送り出し機構部４０の一部材であるロータ４２は、周方向に複数のメダル取り込み孔４２ａが形成された円板状に形成されたものである。なお、本実施形態でのロータ４２には周方向に均等間隔で５個のメダル取り込み孔４２ａが形成されている。メダル取り込み孔４２ａは、収納部３５に収納されたメダルが落とし込まれるようメダル１００の外径よりもわずかに大径となる円形の貫通孔に形成される。
【００４１】
ロータ４２の裏面には、各々のメダル取り込み孔４２ａの前縁位置に沿って、メダル２００の厚さ分程度、裏面から突出する突起４２ｂが形成されている。これらの突起４２ｂは、図４に示すように、平面形状がメダル取り込み孔４２ａの円周に沿った円弧状に形成されている。こうして、ロータ４２を支持プレート４３上に装着した状態で、ロータ４２の裏面で隣り合った突起４２ｂの中間部分には、支持プレート４３との間に、突起４２ｂの厚さ分、いいかえれば１枚のメダル２００が挿入される空隙が形成される。
【００４２】
ロータ４２の回転平面内で、振り分け機構部５０へのメダル２００の入り口に対向する位置には、ロータ４２の回転とともに移動してきたメダル２００の側面に当接してメダル２００の移動方向を規制し、振り分け機構部５０へ向きを変えて送出させるための固定ピン４５ａ、４５ｂが配置されている。
固定ピン４５ａ、４５ｂは相互に離間させ、ロータ４２の回転とともに移動してきたメダル２００が、まず内側の固定ピン４５ａに当接し、次いで外側の固定ピン４５ｂに当接してメダルの振り分け機構部５０に向けて押し出されるように配置されている。
固定ピン４５ａ、４５ｂは、ともに支持プレート４３上でメダル２００の厚さ程度突出するように設けられる。したがって、ロータ４２の裏面に設けられた突起４２ｂには、ロータ４２が回転する際に固定ピン４５ａ、４５ｂが干渉しないように、固定ピン４５ａ、４５ｂを通過させる逃げ溝が設けられている。
【００４３】
ロータ４２から送出されるメダル２００の移動方向（振り分け機構部５０へのメダル２００の送入位置）には、メダル２００の移動経路を幅方向に跨ぐ配置に固定ローラ４６と可動ローラ４７が設けられる。可動ローラ４７は固定ローラ４６に対向する向きに移動可能にガイド支持され、付勢手段であるスプリング４８により、常時は、固定ローラ４６との離間間隔がメダル２００の外径よりも若干短寸となるように、固定ローラ４６に向けて付勢して設けられている。
上述したロータ４２、支持プレート４３、固定ピン４５ａ、４５ｂ、固定ローラ４６および可動ローラ４７は、メダルの収納部３５に収納されたメダル２００を振り分け機構部５０に送り出す送り出し機構部４０を構成する。
【００４４】
メダルの送り出し機構部４０に続いて設けられるメダルの振り分け機構部５０は、図６に示すように、メダル２００を右方向あるいは左方向に振り分けて送出するための一対の揺動レバー５２ａ、５２ｂと、揺動レバー５２ａ、５２ｂの動作を制御する制御手段としてのレバー制御ソレノイド５４ａ、５４ｂと、メダル２００の送出数（払い出し数）を計数する計数用センサ５６ａ、５６ｂとを備えている。
【００４５】
図７および図８は、振り分け機構部５０の構成を示す平面図（メダル２００の移動面に垂直方向から見た状態）および側面図である。
図８に示すように、振り分け機構部５０は、メダル２００をスライドさせて通過させる間隔をあけて、平行に２枚配置された第１のガイドプレート５８と第２のガイドプレート５９とを備える。第１のガイドプレート５８と第２のガイドプレート５９との間には、第１のガイドプレート５８と第２のガイドプレート５９との間隔を、メダル２００の厚さよりも僅かに広い間隔に設定するスペーサ６０が介装されている（図８ではスペーサ６０を不図示）。
【００４６】
スペーサ６０は第１のガイドプレート５８と第２のガイドプレート５９の離間間隔を規定の間隔に保持するとともに、振り分け機構部５０に送入されたメダル２００を揺動レバー５２ａ、５２ｂの基部側から揺動レバー５２ａ、５２ｂの揺動先側へガイド移動させる作用をなす。スペーサ６０は、図７に示すように、メダルの送り出し機構部４０によるメダル２００の送り出し方向に合わせてメダル２００の移動路を形成するよう、メダル２００の外径よりもわずかに広幅に設定した離間間隔をあけて平行に配置される。
【００４７】
揺動レバー５２ａ、５２ｂは、細長の平板体を用いて形成された部材であり、スペーサ６０によって形成されたメダル２００の移動路に沿って、第２のガイドプレート５９の上面に、軸５２１により一端側（振り分け機構部５０にメダル２００が送入される側）を軸支して取り付けられている。
揺動レバー５２ａ、５２ｂの他端側には、第１のガイドプレート５８と第２のガイドプレート５９の離間間隔と略同厚に形成されたローラ６２が、各々転動自在に取り付けられている。
【００４８】
図８は、揺動レバー５２ｂについてローラ６２が取り付けられている状態を示す。ローラ６２は、揺動レバー５２ｂの他端側に、第１のガイドプレート５８と第２のガイドプレート５９を上下に貫通して設けられたシャフト６４に転動自在に取り付けられている。なお、揺動レバー５２ａについても、まっったく同様に揺動レバー５２ａの他端側にシャフト６４が設けられ、シャフト６４にローラ６２が転動自在に取り付けられている。
【００４９】
第１のガイドプレート５８および第２のガイドプレート５９には、シャフト６４の移動方向をガイドするとともに、シャフト６４の移動範囲を規制するガイド孔が設けられる。図７では、上側の第２のガイドプレート５９に揺動レバー５２ａ、５２ｂの配置に合わせて各々ガイド孔５９ａ、５９ａを設けた状態を示す。ガイド孔５９ａは、軸５２１を支点として揺動する揺動レバー５２ａ、５２ｂの揺動方向に合わせて、円弧状の長孔に形成される。下側の第１のガイドプレート５８にもガイド孔５９ａと同様のガイド孔が設けられる。
【００５０】
揺動レバー５２ａ、５２ｂは軸５２１を支点として第２のガイドプレート５９と平行に揺動自在に支持されるが、揺動レバー５２ａ、５２ｂの他端側に各々取り付けられたシャフト６４の下端間には、揺動レバー５２ａ、５２ｂの他端側が互いに接近する向きに付勢するための付勢手段として収縮スプリング８０が掛け渡されている。図８では収縮スプリングを図示しないが、収縮スプリングは第１のガイドプレート５８から下方に突出するシャフト６４の引っ掛け溝に係止して取り付けられる。
【００５１】
収縮スプリング８０はメダル２００が移動する際の押圧力によって揺動レバー５２ａが外方向に開いた状態から元の状態に復帰させると同時に、揺動レバー５２ａ、５２ｂが元位置に復帰する際の押し出し力を利用してメダル２００を前方に弾き出す作用をなすためのものである。したがって、収縮スプリング８０は振り分け機構部５０に送り出されるメダル２００の押圧力によって容易に開き、かつ的確にメダル２００を弾き出すことができる弾性力を備えたものを使用する。
【００５２】
前記レバー制御ソレノイド５４ａ、５４ｂは、各々の揺動レバー５２ａ、５２ｂの他端側の上方に配置されている。
図８に、支持ケース６６に支持されてレバー制御ソレノイド５４ｂが揺動レバー５２ｂの上方に配置されている状態を示す。レバー制御ソレノイド５４ｂはプランジャ５４１が揺動レバー５２ｂの揺動面に対して垂直となるように配置され、OFF状態の場合にはプランジャ５４１が揺動レバー５２ｂの外側面に当接する突出位置にあり、ON状態の場合にはプランジャ５４１が揺動レバー５２ｂの外側面に当接しない引き込み位置となるように作用する。
なお、揺動レバー５２ａについても、同様な配置にレバー制御ソレノイド５４ａが設けられている。
【００５３】
前記計数用センサ５６ａ、５６ｂは、揺動レバー５２ａ、５２ｂの他端側の上方に、揺動レバー５２ａ、５２ｂの上面から僅かに離間して設けられている。揺動レバー５２ａ、５２ｂには、揺動レバー５２ａ、５２ｂが復帰位置（図７に示す状態）にある状態で、計数用センサ５６ａ、５６ｂの直上位置に位置するように検知部６８、６８が取り付けられている。本実施形態では計数用センサ５６ａ、５６ｂとして検知用コイルを使用し、検知部６８としてマグネットを取り付け、検知部６８が移動する際のコイル起電力を検知しているが、計数用センサは検知用コイルに限らず、磁気センサ、光学センサ等の適宜センサを利用することができる。
【００５４】
図８に示すように、第１のガイドプレート５８と第２のガイドプレート５９の先端部は、下方に湾曲する形態に設けられ、第１のガイドプレート５８と第２のガイドプレート５９の先端部分でガイドプレート間の離間間隔が広くなるように形成されている。第１のガイドプレート５８と第２のガイドプレート５９は先端部でノズル２２ａ、２２ｂの基部に連通するように本体２０ａに取り付けられる。
第１のガイドプレート５８と第２のガイドプレート５９との間には、幅方向の中央位置にメダル分離バー７０が設けられている。メダル分離バー７０は振り分け機構部５０から一方側あるいは他方側に向けて排出されるメダルが、排出方向とは反対方向にはね返ることを防止する目的で設けられている。
【００５５】
上述した振り分け機構部５０とメダルの送り出し機構部４０は貸し出し機２０の本体２０ａ内に設置した状態で、図５に示すように、側面方向から見て、メダルの移動方向が直線的になるように連結される。
振り分け機構部５０の第１のガイドプレート５８の下面には取付板７２が設けられ、振り分け機構部５０は、送り出し機構部４０から送り出されるメダルが第１のガイドプレート５８と第２のガイドプレート５９の間に送り出されるように位置合わせして、カバー部４５に取付板７２を固定して取り付けられている。
【００５６】
（払い出し機構の作用）
以下では、メダルの収納部３５に収納されたメダル２００を、メダルの送り出し機構部４０により振り分け機構部５０に送り出し、振り分け機構部５０によって左右のノズル２２ａ、２２ｂに振り分けして払い出す作用について説明する。
メダルの振り分け作用は、まず収納部３５からメダルの送り出し機構部４０にメダル２００を取り込む操作から開始される。メダル２００の取り込みは、電動モータ４４が作動されてロータ４２が回転することにより、ロータ４２の空になっているメダル取り込み孔４２ａにメダル２００が取り込まれることによってなされる。ロータ４２が回転することによって、空いたメダル取り込み孔４２ａにメダル２００が落ち込んで取り込まれていく。メダル取り込み孔４２ａに取り込まれたメダル２００は、図６に示すようにロータ４２の回転（矢印方向）とともに回転前方に移動開始する。
【００５７】
メダル取り込み孔４２ａに取り込まれたメダル１００は、ロータ４２の裏面と支持プレート４３との間に形成された空隙に落とし込まれ、ロータ４２の裏面と支持プレート４３との間に挟まれたメダル１００は、突起４２ｂに側面が当接して回転前方に送られる。収納部３５の底部側面は円筒状に形成され、メダル１００は収納部３５の底部側面により外方への移動が規制されて前送りされる。
メダル１００が突起４２ｂに当接して前方に移動すると、まず内側の固定ピン４５ａに当接し、次いで外側の固定ピン４５ｂに当接してロータ４２による周方向への移動（前送り）が規制されるとともに、突起４２ｂによって押されて、ロータ４２の回転領域内から外側に押し出される。なお、収納部３５の底部側面は振り分け機構部５０に面する部位で開口し、メダル１００はこの開口部で外側に押し出されるようになる。
【００５８】
ロータ４２の回転領域から押し出されたメダル２００は、固定ローラ４６と可動ローラ４７の間に向けて移動し、ロータ４２による送り出し力により、スプリング４８の付勢力に抗して可動ローラ４７を押し開いて前進する。
メダル２００が可動ローラ４７を押し開いて固定ローラ４６と可動ローラ４７をメダル２００の大径部分が通過すると、スプリング４８の作用によって可動ローラ４７は元位置に向けて移動する。可動ローラ４７が元位置に移動する動作は、可動ローラ４７がメダル２００を前方に押動し、振り分け機構部５０に送り出したメダル２００が送り出し機構部４０に戻らないように作用する。
【００５９】
図６に示すように、メダル２００は振り分け機構部５０の入り口側では互いに外周面を当接させるようにして並び、ロータ４２による送り出し力によって順送りされる。
メダル２００がスペーサ６０に挟まれた移動路を通過している際には揺動レバー５２ａ、５２ｂは、収縮スプリング８０の作用によって平行位置を保っている。
【００６０】
振り分け機構部５０によってメダル２００を左右に振り分ける操作は、レバー制御ソレノイド５４ａ、５４ｂのいずれかのプランジャ５４１を突出位置（OFF状態）にするか、引き込み位置（ON状態）にするか制御することによってなされる。
図７は、右側のレバー制御ソレノイド５４ａをOFF状態とし、左側のレバー制御ソレノイド５４ｂをON状態とした状態である。すなわち、右側の揺動レバー５２ａはレバー制御ソレノイド５４ａがOFF状態にあることからプランジャ５４１が揺動レバー５２ａの外側面に当接して揺動レバー５２ａが開き方向へ揺動することを規制している（ロック状態）。左側の揺動レバー５２ｂは、レバー制御ソレノイド５４ｂがON状態にあり、プランジャ５４１が引き込み位置に移動して、揺動レバー５２ｂの開き方向への揺動が可能となっている。
【００６１】
図９は、レバー制御ソレノイド５４ａ、５４ｂが上記の設定状態にある場合でのメダル２００の振り分け操作を示している。
すなわち、振り分け機構部５０に送り出されたメダル２００は、揺動レバー５２ａ、５２ｂの他端側まで進み、通路の両側に張りしているローラ６２、６２に当接する。メダル２００がさらに押し出されると、右側の揺動レバー５２ａはプランジャ５４１によってロックされているから、メダル２００は収縮スプリング８０の弾性力に抗して、左側の揺動レバー５２ｂを外側に押し開くようにして進む。メダル２００は揺動レバー５２ｂを外側に押し開きながら、左側（ノズルが配置されている側から見て）に偏位する。
【００６２】
図９に示す揺動レバー５２ａ、５２ｂの配置は、２つのローラ６２、６２間をメダル２００が通過する状態で、左側の揺動レバー５２ｂが最大に開いた状態を示す。メダル２００が２つのローラ６２、６２間を通過すると、左側の揺動レバー５２ｂは収縮スプリング８０の収縮作用によって元位置に向けて瞬間的に移動する。この揺動レバー５２ｂが元位置に向けて復帰する動きは、揺動レバー５２ｂに取り付けられているローラ６２によってメダル２００の外側面を瞬間的に押し、メダル２００を右側のノズル側に向けて弾き出す作用となる。
【００６３】
揺動レバー５２ｂによってメダル２００を弾き出す作用を右側の揺動レバー５２ａ側で見ると、右側の揺動レバー５２ａは固定されているから、メダル２００が２つのローラ６２の間を通過する際にはメダル２００とローラ６２とは当接位置が位置ずれせず、メダル２００とともにローラ６２が回転する。すなわち、右側の揺動レバー５２ａではメダル２００がローラ６２とともに連れ回りするように回転し、左側の揺動レバー５２ｂによってメダル２００を突き出す作用と合わせて、メダル２００が右側へ弾き出される。図９では、メダル２００が右側に振り分けされて弾き出される様子を示している。
【００６４】
右側のノズル２２ｂに向けて弾き出されたメダル１００はポケット部の内面に衝突してはね返ったりする可能性がある。メダル分離バー７０は右あるいは左の排出方向に弾き出されたメダル１００が排出方向とは逆の排出方向に戻ることを阻止し、弾き出された方向に確実にメダル１００を排出させるように作用する。メダル分離バー７０を揺動レバー５２ａ、５２ｂによってメダル１００が弾き出される位置よりも若干前方に離間させて配置しているのは、左右方向へのメダル１００の弾き出し位置が明確に左右に分離される位置に配置して、メダル１００の分離操作が確実に行えるようにするためである。
【００６５】
なお、図９は右側のノズル２２ｂに振り分けて払い出す場合であるが、左側のノズル２２ａにメダル２００を払い出す場合には、右側の揺動レバー５２ａを揺動可能とし、左側の揺動レバー５２ｂをロックさせるようにレバー制御ソレノイド５４ａ、５４ｂを制御すればよい。左右の揺動レバー５２ａ、５２ｂの作用はまったく等価であり、これによって左側のノズル２２ａにメダル２００を払い出すことができる。
【００６６】
貸し出し機２０から払い出すメダル２００の計数は、図９に示す例では、メダル２００を排出する際に左側の揺動レバー５２ｂが揺動し、検知部６８が計数用センサ５６ｂの上方位置と側方に偏位した位置との間を揺動する揺動数を検知することによってなされる。１個のメダル２００が揺動レバー５２ａ、５２ｂ間を通過するごとに、揺動レバー５２ｂは側方に動いて元位置に復帰するから、揺動レバー５２ｂの揺動数がメダル２００の払い出し数に一致する。
また、右側の揺動レバー５２ａが揺動する際にも、右側の揺動レバー５２ａの揺動数を検知することによってメダル２００の払い出し数を計数することができる。
【００６７】
図５に示すように、メダルの収納部３５から取り込まれたメダル２００は、送り出し機構部４０と振り分け機構部５０により斜め上方に移送され、振り分け機構部５０で右あるいは左のノズルを選択してノズル２２ａ、２２ｂの基部に設けられているポケット部２３に弾き出される。ポケット部２３に排出されたメダル２００は選択側のノズル２２ａ、２２ｂ内を通過してスロットマシン１０の受け皿１２に払い出される。
【００６８】
振り分け機構部５０の前端にはメダル２００を排出する際に逆側にメダル２００が排出されないようにするためのメダル分離バー７０が設けられているが、左右のノズル２２ａ、２２ｂに確実にメダル２００を振り分けるため、図１０に示すように、ポケット部２３内に、ノズル配置に合わせてポケット部２３を左右に仕切る仕切り板２４を設けている。これによって、振り分け機構部５０からメダルを弾き出す際に、さらに確実に左右を分離してメダル２００を払い出すことができる。
【００６９】
なお、上記振り分け機構部５０では、計数用センサ５６ａ、５６ｂを用いてメダル２００の弾き出し数を計数しているが、左右のノズル２２ａ、２２ｂに向けて弾き出された実数を計数する方法として、図９に示すように、振り分け機構部５０の先端部でメダル２００が弾き出される経路上にメダル２００が通過したことを検知するセンサ７４ａ、７４ｂを配置することもできる。
【００７０】
以上説明したように、本実施形態の貸し出し機２０は、貸し出し機２０に設けられた紙幣投入口３０に紙幣を投入することによって、貸し出し機２０が自動的に左右のスロットマシン１０を使用する使用者を検知し、所定数のメダル２００を計数して、紙幣を投入した使用者側のスロットマシン１０に自動的に払い出しすることができる。
なお、これらの貸し出し機２０の操作は、電気的制御部により、使用者および紙幣を識別し、メダル２００を振り分けして供給する操作を制御することによってなされるものであり、スロットマシン１０の使用者は紙幣を紙幣投入口３０に投入するだけで所要数のメダル２００が払い出されて、スロットマシン１０を使用することが可能になる。
【００７１】
このように、本発明に係る貸し出し機は、完全に自動化された遊技媒体の貸し出し装置として提供されるから、操作が簡単で、遊技媒体が効率的に供給され、きわめて取り扱いやすい装置として提供される。また、遊技媒体を遊技機ごとに振り分けて払い出しする操作が確実で、完全に自動化されるから、２台の遊技機に１台の貸し出し機を設置する方式の貸し出し機としてきわめて有効に利用することができる。
【００７２】
なお、上記実施形態の貸し出し機は紙幣を投入してスロットマシンで使用するメダルを払い出しする装置として説明したが、本発明に係る貸し出し機はスロットマシン以外の各種のゲーム機で使用する遊技媒体の払い出し装置として利用することが可能であり、貸し出し機が適用される遊技機がとくに限定されるものではない。
【００７３】
また、本発明に係る紙幣識別機も、メダルの貸し出し機に使用する他、パチンコ玉等の種々の遊技媒体の貸し出し機に使用することができる。なお、紙幣識別機と併用する遊技媒体の貸し出し機に設けられる払い出し機構については、必ずしも上記実施形態で説明した構成からなるものに限定されるものではない。メダル等の遊技媒体を遊技機に振り分けて払い出す機構としては、上記構成以外に左右のダクトの基部に振り分け板を設置し、振り分け板を左右に傾けて、左側あるいは右側のダクトを選択して払い出し方向を選択して遊技媒体を振り分けて払い出すといったことも可能である。
また、本発明に係る紙幣識別機は、貸し出し機と併用する他、紙幣識別機単体として使用することも可能であり、常に、遊技媒体の貸し出し機と組み合わせて使用するとは限らない。
【図面の簡単な説明】
【００７４】
【図１】本発明に係る紙幣識別機を内蔵した貸し出し機の設置例を示す説明図である。
【図２】紙幣識別機を内蔵した貸し出し機の正面図および側面図である。
【図３】紙幣識別機を貸し出し機に取り受けた状態の側面図である。
【図４】紙幣識別機の平面断面図である。
【図５】送り出し機構部および振り分け機構部等を貸し出し機の本体内に設置した状態を示す側面図である。
【図６】送り出し機構部および振り分け機構部の平面図である。
【図７】振り分け機構部の平面図である。
【図８】振り分け機構部の側面図である、
【図９】振り分け機構部の作用を示す説明図である。
【図１０】ノズルの正面図および側面図である。
【符号の説明】
【００７５】
１０  スロットマシン
１２  受け皿
２０  貸し出し機
２２ａ、２２ｂ  ノズル
２３  ポケット部
２４  仕切り板
３０  紙幣投入口
３０ａ、３０ｂ  投入口
３１  仕切りガイド
３２ａ、３２ｂ  導入ガイド
３３  中仕切り
３４ａ、３４ｂ  ガイド
３５  収納部
４０  送り出し機構部
４２  ロータ
４２ａ  メダル取り込み孔
４２ｂ  スロープ部
４５ａ、４５ｂ  固定ピン
４６  固定ローラ
４７  可動ローラ
４８  スプリング
５０  振り分け機構部
５２ａ、５２ｂ  揺動レバー
５４ａ、５４ｂ  レバー制御ソレノイド
５６ａ、５６ｂ  計数用センサ
６２  ローラ
６８  検知部
７０  メダル分離バー
８０  収縮スプリング
１００  紙幣識別機
１０１  紙幣導入口
１０２ａ、１０２ｂ  センサ
１０３ａ、１０３ｂ  送りベルト
１０７  送り部材
１１３  案内板
１１５  紙幣収納部
１２０ａ、１２０ｂ  識別用センサ
２００  メダル
５４１  プランジャ
【図１】
2006230541.tif 000003
【図２】
2006230541.tif 000004
【図３】
2006230541.tif 000005
【図４】
2006230541.tif 000006
【図５】
2006230541.tif 000007
【図６】
2006230541.tif 000008
【図７】
2006230541.tif 000009
【図８】
2006230541.tif 000010
【図９】
2006230541.tif 000011
【図１０】
2006230541.tif 000012